(57)【要約】【課題】    ユーザからの移動に関する入力に応じて、風水に基づき移動についての吉凶情報を提供する風水情報提供システムを提供する。【解決手段】  風水情報提供システム１０は、風水に基づいて所定の期間に渡って所定の時点ごとに求めた方位の吉凶に関する情報を格納する吉凶情報格納手段６００〜８００と、前記ユーザからの時期の入力を受け付ける時期入力手段と、前記吉凶情報格納手段６００〜８００において、前記入力された時期における吉方位及び凶方位を検索する吉凶検索手段２８と、前記検索された吉方位及び凶方位を前記ユーザに提示する提示手段とを備える。【選択図】  図２
2006293668.tif 000002
【特許請求の範囲】
【請求項１】
ユーザからの移動に関する入力に応じて、風水に基づき前記移動についての吉凶情報を提供する風水情報提供システムであって、
風水に基づいて、所定の期間に渡って所定の時点ごとに求めた方位の吉凶に関する情報を格納する吉凶情報格納手段と、
前記ユーザからの時期の入力を受け付ける時期入力手段と、
前記吉凶情報格納手段において、前記入力された時期における吉方位及び凶方位を検索する吉凶検索手段と、
前記検索された吉方位及び凶方位を前記ユーザに提示する提示手段と
を備える風水情報提供システム。
【請求項２】
請求項１記載の風水情報提供システムであって、前記ユーザの移動が引越しであり、更に、
住所を含む不動産物件情報を格納する不動産情報格納手段と、
前記ユーザからの現住所の入力を受け付ける現住所入力手段と、
前記不動産情報格納手段において、前記現住所に対して前記決定された吉方位にあたる住所を有する不動産物件を検索する物件検索手段と、
前記検索された不動産物件を前記ユーザに提示する提示手段と
を備える風水情報提供システム。
【請求項３】
請求項１記載の風水情報提供システムであって、前記ユーザの移動が外出であり、前記吉凶情報格納手段が方位の吉凶及び方位の特徴を含む風水情報提供システムにおいて、更に、
移動目的と前記方位の特徴とを関連付けて格納する特徴格納手段と、
住所及び外出目的を含む外出先情報を格納する外出先情報格納手段と、
前記ユーザからの現住所の入力を受け付ける現住所入力手段と、
前記ユーザからの外出目的の入力を受け付ける目的入力手段と、
前記特徴格納手段において、前記入力された外出目的に応じた前記特徴を決定する特徴決定手段と、
前記吉凶検索手段により検索された吉方位であって、前記特徴決定手段により決定された特徴を有する方位を決定する吉方位決定手段と、
前記外出先情報格納手段において、前記現住所から見て前記決定された吉方位にあたる住所を有し、前記ユーザにより入力された外出目的を有する外出先を検索する外出先検索手段と、
前記検索された外出先を前記ユーザに提示する提示手段と
を備える風水情報提供システム。
【請求項４】
ユーザからの移動に関する入力に応じて、風水に基づき前記移動についての吉凶情報を提供する風水情報提供システムであって、
風水に基づいて、所定の期間に渡って所定の時点ごとに求めた方位の吉凶に関する情報を格納する吉凶情報格納手段と、
前記ユーザからの現住所及び目的地の入力を受け付ける目的地入力手段と、
前記目的地の前記現住所に対する方位を決定する方位決定手段と、
前記吉凶情報格納手段において、前記決定された方位が吉方位となる時期を検索する時期検索手段と、
前記検索された時期を前記ユーザに提示する提示手段と
を備える風水情報提供システム。
【請求項５】
請求項４記載の風水情報提供システムであって、前記ユーザの移動が引越しであり、更に、
住所及び入居可能時期を含む不動産物件情報を格納する不動産情報格納手段と、
前記不動産情報格納手段において、住所が前記目的地にあって、入居可能時期が前記吉方位となる時期より前である不動産物件を検索する物件検索手段と、
前記検索された不動産物件を前記ユーザに提示する提示手段と
を備える風水情報提供システム。
【請求項６】
請求項４記載の風水情報提供システムであって、前記ユーザの移動が外出であり、前記吉凶情報格納手段が方位の吉凶及び方位の特徴を含む風水情報提供システムにおいて、更に、
移動目的と前記方位の特徴とを関連付けて格納する特徴格納手段と、
住所及び外出目的を含む外出先情報を格納する外出先情報格納手段と、
前記ユーザからの外出目的の入力を受け付ける目的入力手段と、
前記特徴格納手段において、前記入力された外出目的に応じた前記特徴を決定する特徴決定手段と、
前記吉凶情報格納手段において、前記方位決定手段により決定された方位が吉方位であって前記特徴決定手段により決定された特徴を有する方位となる時期を決定する時期決定手段と、
前記決定された時期を前記ユーザに提示する提示手段と、
を備える風水情報提供システム。
【請求項７】
ユーザからの移動に関する入力に応じて、風水に基づき前記移動についての吉凶情報を提供する風水情報提供システムであって、
風水に基づいて、所定の期間に渡って所定の時点ごとに求めた方位の吉凶に関する情報を格納する吉凶情報格納手段と、
前記ユーザからの時期及び目的地を含まない移動予定の入力を受け付ける予定入力手段と、
前記吉凶情報格納手段において、吉方位を有する所定期間内の時期を検索する吉方位時期検索手段と、
前記検索された時期及び当該時期における吉方位を前記ユーザに提示する提示手段と
を備える風水情報提供システム。
【請求項８】
請求項７記載の風水情報提供システムであって、前記ユーザの移動が引越しであり、更に、
住所を含む不動産物件情報を格納する不動産情報格納手段と、
前記ユーザからの現住所の入力を受け付ける現住所入力手段と、
前記不動産情報格納手段において、前記現住所に対して前記検索された吉方位にあたる住所を有する不動産物件を検索する物件検索手段と、
前記検索された不動産物件を、前記吉方位時期検索手段により検索された前記時期と関連付けて前記ユーザに提示する提示手段と
を備える風水情報提供システム。
【請求項９】
請求項７記載の風水情報提供システムであって、前記ユーザの移動が外出であり、前記吉凶情報格納手段が方位の吉凶及び方位の特徴を含む風水情報提供システムにおいて、更に、
外出目的と前記方位の特徴とを関連付けて格納する特徴格納手段と、
住所及び外出目的を含む外出先情報を格納する外出先情報格納手段と、
前記ユーザからの現住所の入力を受け付ける現住所入力手段と、
前記ユーザからの外出目的の入力を受け付ける目的入力手段と、
前記特徴格納手段において、前記入力された外出目的に応じた前記特徴を決定する特徴決定手段と、
前記吉凶情報格納手段において、吉方位であって前記決定された特徴を有する方位を有する所定期間内の時期を決定する吉方位時期決定手段と、
前記外出先情報格納手段において、前記現住所から見て前記決定された時期における吉方位であって前記決定された特徴を有する方位にあたる住所を有し、前記ユーザにより入力された外出目的を有する外出先を検索する外出先検索手段と、
前記検索された外出先を、前記吉方位時期決定手段により決定された時期と関連付けて前記ユーザに提示する提示手段と
を備える風水情報提供システム。
【発明の詳細な説明】
【技術分野】
【０００１】
本発明は、利用者に風水思想に基づく方位学的な吉凶情報を提供する風水情報提供システムに関する。
【背景技術】
【０００２】
古代中国に起源を有する風水は、地相術や方位術とも呼ばれ、自然界の風と気の流れを用いて運気を上げることを基本思想とする。この風水は、現代においても、例えば家屋の方位や間取り、インテリアなどの吉凶を判断する１つの指針として広く支持されている。
【０００３】
従来、風水に基づくアドバイスや情報を得るには、相談者が風水専門家のもとに出向き、状況を説明して個別に相談を行う必要があった。近年では、インターネットに公開されたホームページで風水に関する情報を提供するサービスも存在するが、そのようなサービスで提供される情報は一般的なものに留まり、相談者それぞれの状況に合わせた具体的な吉凶情報、及びそれに基づくアドバイスを提供することはできていない。そのため、相談者にとっては自分の状況にあった適切な情報及びアドバイスを得ることができず、事業者にとっては、風水に基づくアドバイスを、ユーザに対する各種商品の販売促進手段として利用することが不可能な状況であった。
【発明の開示】
【発明が解決しようとする課題】
【０００４】
そこで、本発明は、上記の問題点に鑑みて、相談者が転居又は外出等の行動予定の情報を入力することにより、各人の状況に合わせた風水に基づく具体的なアドバイスを提示するシステムを提供することを目的とする。更に、本発明は、風水に基づくアドバイスを不動産物件の販売促進に役立てられるよう、相談者に対し、風水的な観点から最適な転居先物件の候補を提示するシステムを提供することを目的とする。
【課題を解決するための手段】
【０００５】
上記の課題を解決するため、請求項１の発明は、ユーザからの移動に関する入力に応じて、風水に基づき移動についての吉凶情報を提供する風水情報提供システムであって、
風水に基づいて、所定の期間に渡って所定の時点ごとに求めた方位の吉凶に関する情報を格納する吉凶情報格納手段と、
ユーザからの時期の入力を受け付ける時期入力手段と、
吉凶情報格納手段において、入力された時期における吉方位及び凶方位を検索する吉凶検索手段と、
検索された吉方位及び凶方位をユーザに提示する提示手段と
を備える風水情報提供システムを提供する。
【０００６】
請求項２の発明は、請求項１記載の風水情報提供システムであって、ユーザの移動が引越しであり、更に、
住所を含む不動産物件情報を格納する不動産情報格納手段と、
ユーザからの現住所の入力を受け付ける現住所入力手段と、
不動産情報格納手段において、現住所に対して決定された吉方位にあたる住所を有する不動産物件を検索する物件検索手段と、
検索された不動産物件をユーザに提示する提示手段と
を備える風水情報提供システムを提供する。
【０００７】
請求項３の発明は、請求項１記載の風水情報提供システムであって、ユーザの移動が外出であり、吉凶情報格納手段が方位の吉凶及び方位の特徴を含む風水情報提供システムにおいて、更に、
移動目的と方位の特徴とを関連付けて格納する特徴格納手段と、
住所及び外出目的を含む外出先情報を格納する外出先情報格納手段と、
ユーザからの現住所の入力を受け付ける現住所入力手段と、
ユーザからの外出目的の入力を受け付ける目的入力手段と、
特徴格納手段において、入力された外出目的に応じた特徴を決定する特徴決定手段と、
吉凶検索手段により検索された吉方位であって、特徴決定手段により決定された特徴を有する方位を決定する吉方位決定手段と、
外出先情報格納手段において、現住所から見て決定された吉方位にあたる住所を有し、ユーザにより入力された外出目的を有する外出先を検索する外出先検索手段と、
検索された外出先をユーザに提示する提示手段と
を備える風水情報提供システムを提供する。
【０００８】
請求項４の発明は、ユーザからの移動に関する入力に応じて、風水に基づき移動についての吉凶情報を提供する風水情報提供システムであって、
風水に基づいて、所定の期間に渡って所定の時点ごとに求めた方位の吉凶に関する情報を格納する吉凶情報格納手段と、
ユーザからの現住所及び目的地の入力を受け付ける目的地入力手段と、
目的地の現住所に対する方位を決定する方位決定手段と、
吉凶情報格納手段において、決定された方位が吉方位となる時期を検索する時期検索手段と、
検索された時期をユーザに提示する提示手段と
を備える風水情報提供システムを提供する。
【０００９】
請求項５の発明は、請求項４記載の風水情報提供システムであって、ユーザの移動が引越しであり、更に、
住所及び入居可能時期を含む不動産物件情報を格納する不動産情報格納手段と、
不動産情報格納手段において、住所が目的地にあって、入居可能時期が吉方位となる時期より前である不動産物件を検索する物件検索手段と、
検索された不動産物件をユーザに提示する提示手段と
を備える風水情報提供システムを提供する。
【００１０】
請求項６の発明は、請求項４記載の風水情報提供システムであって、ユーザの移動が外出であり、吉凶情報格納手段が方位の吉凶及び方位の特徴を含む風水情報提供システムにおいて、更に、
移動目的と方位の特徴とを関連付けて格納する特徴格納手段と、
住所及び外出目的を含む外出先情報を格納する外出先情報格納手段と、
ユーザからの外出目的の入力を受け付ける目的入力手段と、
特徴格納手段において、入力された外出目的に応じた特徴を決定する特徴決定手段と、
吉凶情報格納手段において、方位決定手段により決定された方位が吉方位であって特徴決定手段により決定された特徴を有する方位となる時期を決定する時期決定手段と、
決定された時期をユーザに提示する提示手段と、
を備える風水情報提供システムを提供する。
【００１１】
請求項７の発明は、ユーザからの移動に関する入力に応じて、風水に基づき移動についての吉凶情報を提供する風水情報提供システムであって、
風水に基づいて、所定の期間に渡って所定の時点ごとに求めた方位の吉凶に関する情報を格納する吉凶情報格納手段と、
ユーザからの時期及び目的地を含まない移動予定の入力を受け付ける予定入力手段と、
吉凶情報格納手段において、吉方位を有する所定期間内の時期を検索する吉方位時期検索手段と、
検索された時期及び当該時期における吉方位をユーザに提示する提示手段と
を備える風水情報提供システムを提供する。
【００１２】
請求項８の発明は、請求項７記載の風水情報提供システムであって、ユーザの移動が引越しであり、更に、
住所を含む不動産物件情報を格納する不動産情報格納手段と、
ユーザからの現住所の入力を受け付ける現住所入力手段と、
不動産情報格納手段において、現住所に対して検索された吉方位にあたる住所を有する不動産物件を検索する物件検索手段と、
検索された不動産物件を、吉方位時期検索手段により検索された時期と関連付けてユーザに提示する提示手段と
を備える風水情報提供システムを提供する。
【００１３】
請求項９の発明は、請求項７記載の風水情報提供システムであって、ユーザの移動が外出であり、吉凶情報格納手段が方位の吉凶及び方位の特徴を含む風水情報提供システムにおいて、更に、
外出目的と方位の特徴とを関連付けて格納する特徴格納手段と、
住所及び外出目的を含む外出先情報を格納する外出先情報格納手段と、
ユーザからの現住所の入力を受け付ける現住所入力手段と、
ユーザからの外出目的の入力を受け付ける目的入力手段と、
特徴格納手段において、入力された外出目的に応じた特徴を決定する特徴決定手段と、
吉凶情報格納手段において、吉方位であって決定された特徴を有する方位を有する所定期間内の時期を決定する吉方位時期決定手段と、
外出先情報格納手段において、現住所から見て決定された時期における吉方位であって決定された特徴を有する方位にあたる住所を有し、ユーザにより入力された外出目的を有する外出先を検索する外出先検索手段と、
検索された外出先を、吉方位時期決定手段により決定された時期と関連付けてユーザに提示する提示手段と
を備える風水情報提供システムを提供する。
【発明の効果】
【００１４】
本発明によれば、インターネットに公開されたホームページを介して、相談者それぞれの状況に合わせた風水に基づく具体的な情報、及び移動先の候補を提供することが可能である。
【発明を実施するための最良の形態】
【００１５】
以下、本発明に係る風水情報提供システムを、実施の形態を用いて具体的に説明する。
風水やそれに類する方位学には多くの流派が存在するが、本実施の形態では、特に高根黒門著「活盤奇門遁甲精義」に記載されている奇門遁甲と呼ばれる手法を用いて方位の吉凶を判断する。この奇門遁甲では、所定の期間に属する日時の年、月、日、時それぞれについて、干支暦と呼ばれる特殊な暦を用いて干支及び局数を調べ、それをもとに一定のルールに従って、それぞれの日時における各方位の点数、吉凶、八門、八神等と呼ばれる要素を決定する。決定されたこれらの要素を年、月、日、時と対応付けて表示した表を、それぞれ年盤、月盤、日盤、時盤と呼び、これらの盤から読み取られる点数、吉凶、八門及び八神の組合せに基づいて、特定の年、月、日又は時における方位の吉凶を診断する。また、場合によっては、診断対象者の性別及び生年月日から割り出された本名掛と呼ばれる要素を加味して診断を行うこともある。以下では、風水のロジックとして上記の奇門遁甲を用いる実施の形態を説明するが、本発明はその他の風水、方位学等の手法を用いても実現可能である。
【００１６】
図１は、本発明に係る風水情報提供システムの一つの実施の形態の構成を概略的に示す図である。図１において、風水情報提供システム１０は、ネットワーク１１を介して、複数のユーザ端末１２−１〜１２−Ｎ（Ｎは正の整数）とサーバ１３とを相互に接続することにより構成されている。このようなシステムにおいて、風水情報を希望するユーザは、ユーザ端末１２−１〜１２−Ｎからネットワーク１１を介してサーバ１３にアクセスし、室内の家具の配置、引越しや外出の予定等の必要な情報を入力して、それに対応する風水情報を得ることが可能である。
【００１７】
図１のネットワーク１１は、公衆電話網、閉域ＩＰ通信網、インターネット網、ケーブル網、専用回線網、ＷＡＮ又はＬＡＮなどを含む任意のネットワークであってよい。
ユーザ端末１２−１〜１２−Ｎは、風水情報提供システム１０を利用して風水情報を得ようとするユーザが利用する端末であり、ＣＰＵ１２０と、記憶装置１２１と、入力装置１２２と、表示装置１２３と、通信装置１２４とを備える。ＣＰＵ１２０は、記憶装置１２１、入力装置１２２、表示装置１２３及び通信装置１２４を制御し、記憶装置１２１は、入力装置１２２を利用して入力された情報及びサーバ１３からダウンロードされた情報と、例えばそれらの情報を表示装置１２３に表示するための汎用ブラウザ等のプログラムとを記憶する。入力装置１２２は、キーボード、マウス、プッシュボタン、タッチパネル等を含んでもよく、表示装置１２３はディスプレイ等を含む。通信装置１２４は、ネットワーク１１を介してユーザ端末１２−１〜１２−Ｎとサーバ１３とを通信させる機能を有する。以下の実施の形態では、ユーザ端末１２−１〜１２−Ｎの例として汎用ブラウザを搭載したパーソナル・コンピュータを利用する構成を説明するが、ユーザ端末に、例えば携帯電話機等の移動体端末を用いることも可能である。
【００１８】
サーバ１３は、ＣＰＵ１３０と、記憶装置１３１と、入力装置１３２と、出力装置１３３と、通信装置１３４とを備え、物理的に１台のマシンで実現されても、複数台のマシンを用いて実現されてもよい。サーバ１３は、ユーザ端末１２−１〜１２−Ｎとネットワーク１１を介して接続可能であればいずれの場所に設置されてもよいが、一般には、風水情報提供システム１０の運営企業により運営され、該運営企業のセンタに設置される。
【００１９】
サーバ１３は、風水情報提供システム１０の機能を実現するための機能実現手段として、図２に示すように、送受信部２０と、制御部２１と、端末表示画面ファイル記憶部２２と、認証部２３と、ユーザ情報登録検索部２４と、不動産物件情報作成部２５と、外出先情報作成部２６と、地図情報作成部２７と、風水情報作成部２８と、ユーザ情報ＤＢ３０(本明細書ではデータベースを「ＤＢ」と表記する。)と、不動産物件情報ＤＢ３１と、外出先情報ＤＢ３２と、地図情報ＤＢ３３と、風水情報ＤＢ３４とを備える。
【００２０】
送受信部２０は、サーバ１３のＣＰＵ１３０により実現され、ネットワーク１１を介したサーバ１３と外部との通信を実行及び制御する。制御部２１は、サーバ１３内部の機能実現手段及びＤＢ相互の連携を制御して、ユーザ端末１２−１〜１２−Ｎからの入力情報を受付け、該入力情報に対応した風水情報を作成して、必要な不動産物件情報及び地図情報とともにユーザ端末１２−１〜１２−Ｎに送信する。このような送受信部２０及び制御部２１の機能の一部は、汎用オペレーティング・システムと、一般的なウェブ・サーバ及び／又はメール・サーバとを利用して実現されてもよい。
【００２１】
端末表示画面ファイル記憶部２２は、サーバ１３の記憶装置１３１に格納され、サーバ１３からユーザ端末１２−１〜１２−Ｎに送信されて表示装置１２３に表示される画面情報を蓄積するもので、具体的には、ＨＴＭＬ、ｃＨＴＭＬ又はｊａｖａ等で作成された汎用又は専用のブラウザで表示可能な形式のファイルや、電子メールとして送信可能な形式のファイルを含む。
【００２２】
認証部２３は、サーバ１３のＣＰＵ１３０により実現され、ユーザ情報ＤＢ３０を参照して、ユーザ端末から送信されるユーザＩＤ及びパスワードの認証を行う。サーバ１３は、それらの認証結果に応じて、ユーザＩＤを送信したユーザ端末１２−１〜１２−Ｎに対し次の動作を要求する。
【００２３】
ユーザ情報登録検索部２４は、ユーザ情報ＤＢ３０にユーザ情報を登録し、ユーザ情報ＤＢ３０に登録された情報を検索するものであり、サーバ１３のＣＰＵ１３０により実現される。
【００２４】
不動産物件情報作成部２５、外出先情報作成部２６、地図情報作成部２７及び風水情報作成部２８は、それぞれに対応する不動産物件情報ＤＢ３１、外出先情報ＤＢ３２、地図情報ＤＢ３３及び風水情報ＤＢ３４から必要な情報を検索して取り出し、該情報に基づいてユーザ端末１２−１〜１２−Ｎに返信する情報を作成するものであり、サーバ１３のＣＰＵ１３０により実現される。
【００２５】
ユーザ情報ＤＢ３０、不動産物件情報ＤＢ３１、外出先情報ＤＢ３２、地図情報ＤＢ３３及び風水情報ＤＢ３４は、風水情報提供システム１０の処理に必要なデータを格納するデータベースである。ユーザ情報ＤＢ３０には、風水情報提供システム１０の利用を希望するユーザが登録処理を行う都度、ユーザ情報が登録されるが、システムの利用開始に先立って、サーバ１３の入力装置１３２を介して直接に、又は通信装置１３３を介してネットワーク経由で、ユーザ情報を登録してもよい。不動産物件情報ＤＢ３１、外出先情報ＤＢ３２、地図情報ＤＢ３３及び風水情報ＤＢ３４には、システムの利用開始前に、それぞれ必要な情報が登録される。風水情報提供システム１０の利用開始後も、必要に応じて上記各ＤＢの情報を追加・修正することが可能である。
【００２６】
図３の（ａ）、（ｂ）及び（ｃ）は、それぞれ、ユーザ情報ＤＢ３０に含まれるユーザ情報テーブル３００、不動産物件情報ＤＢ３１に含まれる不動産物件情報テーブル３１０、及び外出先情報ＤＢ３２に含まれる外出先情報テーブル３２０の一例を示す。図３の（ａ）に例示されるユーザ情報テーブル３００は、ユーザごとに、ユーザＩＤ３０１、ユーザ名３０２、メールアドレス３０３、現住所３０４及びパスワード３０５を含む。ユーザＩＤ３０１は風水情報提供システム１０においてユーザを識別するための一意の文字列である。また、本システムの一部の機能の利用を有料とする場合、ユーザ情報テーブルに、クレジットカード番号３０６及びその有効期限３０７の情報を持たせてもよい。
【００２７】
図３の（ｂ）において、不動産物件情報テーブル３１０は、物件ごとに、物件ＩＤ３１１、物件名３１２、住所３１３、入居可能時期３１４、価格３１５、専有面積３１６、間取り３１７、施工主３１８及び説明３１９を含む。物件ＩＤ３１１は風水情報提供システム１０において物件を識別するための一意の文字列であり、入居可能時期３１４は、ユーザが物件を購入した場合の入居可能時期を示す。また、説明３１９には、物件の詳細情報の説明文が含まれる。
【００２８】
図３の（ｃ）において、外出先情報テーブル３２０は、外出先ごとに、外出先ＩＤ３２１、外出先名３２２、住所３２３、用途３２４及び説明３２５を含む。外出先ＩＤ３２１は風水情報提供システム１０において外出先を識別するための一意の文字列であり、用途３２４は、その外出先に適した用途であって、ユーザの外出目的に適した外出先の候補を提示するために登録される情報である。説明３２５には、その外出先の詳細情報の説明文が含まれる。なお、図３はユーザ情報ＤＢ３０、不動産物件情報ＤＢ３１及び外出先ＤＢ３２に含まれるテーブルの一例であり、ユーザ情報ＤＢ３０、不動産物件情報ＤＢ３１及び外出先ＤＢ３２は、他の様々なデータ及びテーブルを含んでよいことに注意すべきである。
【００２９】
地図情報ＤＢ３３は、ユーザ端末１２−１〜１２−Ｎの表示装置１２３に表示可能な画像形式の地図データを保有しており、住所の指定を含む地図データ要求に応じて、指定された住所を地図の中央に設定した地図データを返す。地図データ要求では、更に、地図の縮尺、表示範囲等を指定することも可能である。地図情報ＤＢ３３は、サーバ１３の記憶装置１３１に格納してもよいが、ネットワークを介してサーバ１３がアクセス可能である外部の地図データ提供サービス会社が保有するＤＢを、地図情報ＤＢ３３として利用しても良い。
【００３０】
図４〜９は、風水情報ＤＢ３４に格納されるテーブルの一例を示す。風水情報ＤＢ３４は、住居室内の家具配置、住居の立地条件、月、日、時等の様々な条件に応じた風水に基づく吉凶情報等を格納するＤＢである。風水情報ＤＢ３４は、例えば、図４〜９に例示されるような室内配置テーブル４００、宅盤テーブル４１０、立地条件テーブル５００、月盤テーブル６００、日盤テーブル７００、時盤テーブル８００及び開運願望テーブル９００を含む。
【００３１】
図４の（ａ）において、室内配置テーブル４００は、結果ＩＤ４０１と、本命掛４０２と、方位４０３と、名称４０４と、鑑定文４０５とを含む。結果ＩＤ４０１は、風水情報提供システム１０において室内配置による鑑定結果を識別するための一意の文字列であり、本命掛４０２は鑑定対象であるユーザの本命掛を示す。本命掛とは、鑑定対象者の生年月日から算出され、風水で方位や色などの吉凶を判断するために利用されるもので、男女それぞれに８種類ずつの本命掛がある。方位４０３には、鑑定対象となる室内配置の方位であって、北、北西、西、南西、南、南東、東、北東のいずれかが含まれる。名称４０４は、風水において特定の本命掛と方位との組合せに付けられている名称である。鑑定文４０５は、それぞれの結果ＩＤ４０１に対応する鑑定結果の説明を含む。
【００３２】
図４の（ｂ）において、宅盤テーブル４１０は、本命掛４１１と、方位４１２〜４１９とを含む。宅盤とは、風水において室内の方位の吉凶をあらわすために利用される表の一種である。本命掛４１１は、室内配置テーブル４００に含まれる本命掛４０２と同様であり、方位４１２〜４１９は、北、北西、西、南西、南、南東、東、北東のそれぞれの方位を示す。即ち、方位１  ４１２は北、方位２  ４１２は北西を示す。
【００３３】
図５の立地条件テーブル５００は、立地条件５０１と鑑定文５０２とを含む。立地条件５０１は風水で重視される住宅の特徴的な立地条件であり、鑑定文は個々の立地条件５０１に対する風水による鑑定結果の説明である。
【００３４】
図６の月盤テーブル６００は、年６０１、月６０２、各方位の点数６０３−１〜６０３−８、各方位の吉凶６０４−１〜６０４−８、及び解説文６０５を含む。各方位の点数６０３−１〜６０３−８及び各方位の吉凶６０４−１〜６０４−８には、対応する月の干支に基づいて風水により決定された方位ごとの点数及び吉凶が格納される。
【００３５】
図７において、日盤テーブル７００は、年７０１、月７０２及び日７０３と、各方位の点数７０４−１〜７０４−８、各方位の吉凶７０５−１〜７０５−８、各方位の八門７０６−１〜７０６−８及び各方位の八神７０７−１〜７０７−８と、解説文７０８とを含む。各方位の点数、吉凶、八門及び八神は、月盤テーブル６００の各方位の点数及び吉凶と同様に、対応する月及び日の干支に基づいて風水により決定される。なお、八門及び八神とは、本実施の形態で利用している奇門遁甲において方位の吉凶を決定するために利用される要素であり、他の実施の形態においては、別の要素を利用することも可能である。
【００３６】
図８において、時盤テーブル８００は、年８０１、月８０２、日８０３及び時８０４と、各方位の点数８０５−１〜８０５−８、各方位の吉凶８０６−１〜８０６−８、各方位の八門８０７−１〜８０７−８及び各方位の八神８０８−１〜８０８−８と、解説文８０９とを含む。時８０４は、風水において用いられる、１日を構成する１３の時間帯のいずれかを示し、各方位の点数、吉凶、八門及び八神は、月盤テーブル６００の各方位の点数６０３−１〜６０３−８及び各方位の吉凶６０４−１〜６０４−８と同様に、対応する時の干支に基づいて風水により決定される。
【００３７】
図９において、開運願望テーブル９００は、ユーザの持つ開運願望を満たすために最適な方位を示すものであり、カテゴリ９０１と、開運願望９０２と、八門９０３と、八神９０４とを含む。カテゴリ９０１はユーザの開運願望の属するカテゴリであり、八門９０３及び八神９０４は、ユーザの開運願望を達成する上で吉となる八門及び八神の配置を示すものである。
【００３８】
なお、上に説明した図４〜９は、風水情報ＤＢ３４に含まれるテーブルの一例に過ぎず、風水情報ＤＢ３４は、図４〜９に示された以外の様々なテーブルを含んでもよいことに注意すべきである。また、図４〜９の各テーブルは、例示された以外の様々なデータを含んでもよく、更に複数枚のテーブルに分割されてもよい。
【００３９】
以下、風水情報提供システム１０を用いて実現される処理について説明する。
風水情報提供システム１０の利用開始にあたり、まず、ユーザ登録処理が実行される。具体的には、風水に基づく情報の提供を希望する顧客が、ユーザ端末１２−１〜１２−Ｎのいずれかである例えばユーザ端末１２−１を用いてサーバ１３にアクセスし、ユーザ登録を要求すると、サーバ１３の制御部２１は、端末表示画面ファイル記憶部２２に格納されたユーザ登録画面を取り出してユーザ端末１２−１に送信する。当該画面においてユーザが所定の登録情報を入力し、送信処理を行うと、ユーザ端末１２−１からサーバ１３に登録情報が送信される。サーバ１３の送受信部２０が該情報を受取ると、制御部２１は、ユーザ情報登録検索部２４を制御してユーザ情報の登録を行う。即ち、ユーザ情報登録検索部２４は、未だユーザに割当てられていない１つのユーザＩＤを当該ユーザに割当て、受取った登録情報を該ユーザＩＤと対応付けて、ユーザ情報ＤＢ３０に登録する。
【００４０】
こうして登録されたユーザが風水情報提供システム１０にアクセスすると、制御部２１は、端末表示画面ファイル記憶部２２に格納された認証画面をユーザ端末１２−１に送信してユーザＩＤ及びパスワードの入力を促し、ユーザ端末から送信されるユーザＩＤ及びパスワードをもとに、認証部２３にユーザの認証を実行させる。認証部２３は、受取ったユーザＩＤ及びパスワードを、ユーザ情報ＤＢ３０に格納されたユーザＩＤ３０１及びパスワード３０５と照合してユーザの認証を行う。ただし、風水情報提供システム１０において、会員登録は行わなくてもよく、所定のメニューを利用する場合にのみ要求してもよい。その場合、ユーザ認証は実行されないか、登録を要するメニューの実行を要求した後に実行される。
【００４１】
ユーザ認証が成功すると、制御部２１は、ユーザ端末表示画面ファイル記憶部２２に格納されたメニュー画面を取り出して、ユーザ端末１２−１に送信する。図１４は、風水提供システム１０においてユーザ端末１２−１〜１２−Ｎに表示されるメニュー画面の一例である。本実施の形態において、風水情報提供システム１０は、（１）室内配置鑑定、（２）立地条件鑑定、（３）出張風水鑑定、（４）メール風水鑑定、（５）引越し診断、（６）外出診断、（７）風水カレンダーの計７種類の処理を実行することが可能である。各メニューにおける処理の概要は以下の通りである。
【００４２】
（１）室内配置鑑定：ユーザに生年月日、性別及び室内の家具等の配置を入力させ、それらの情報を基に、風水による鑑定を行う。
（２）立地条件鑑定：ユーザに家の立地条件を入力させ、該情報を基に、風水による鑑定を行う。
【００４３】
（３）出張風水鑑定：現住居及び購入予定物件の出張風水鑑定の申込みを受け付ける。
（４）メール風水鑑定：ユーザから鑑定希望物件の状況を説明したメールを受取り、風水鑑定を行う。
【００４４】
（５）引越し診断：希望の引越し時期に対し、風水により吉方位及び凶方位を診断する。又は、希望の引越し場所に対し、風水により最適な引越し時期を診断する。更に、吉方位にあり適切な時期に入居可能な物件の情報を提示する。
【００４５】
（６）外出診断：所定の外出先及び目的に対し、風水により最適な日時を診断する。又は、所定の日時及び目的に対し、風水により最適な外出先を診断する。更に、ユーザの外出目的に応じて、適切な外出日時及び外出先の組合せを提示する。
【００４６】
（７）風水カレンダー：月に一度、次月の吉方位又は吉日の情報をメール配信する。
上記メニューの処理の詳細について、以下に説明する。
（１）室内配置鑑定
図１０は、風水情報提供システム１０における室内配置鑑定処理の詳細を示す。この処理は、ユーザが図１４のメニュー画面において室内配置鑑定１４０１を選択し、ステップ１００１において、ユーザ端末１２−１からサーバ１３に室内配置鑑定要求を示す信号が送信されることにより開始する。該要求がサーバ１３の送受信部２０に受信されると、制御部２１は、ステップ１００２において、端末表示画面ファイル記憶部２２に格納された生年月日性別入力画面を取り出し、該画面を、送受信部２０を介してユーザ端末１２−１に送信して、表示装置１２３に表示させる。
【００４７】
ユーザが、生年月日性別入力画面において、入力装置１２２を利用して生年月日及び性別を入力し、送信ボタンをクリックすると、ステップ１００３において、ユーザ端末１２−１からサーバ１３に対し、ユーザの生年月日及び性別を示す情報が送信される。サーバ１３の送受信部２０が該情報を受信すると、制御部２１は、ステップ１００４において、風水情報作成部２８を制御し、該情報からユーザの本命掛を示す番号を決定させる。具体的に、風水情報作成部２８は、制御部２１からユーザの生年月日及び性別を受取ると、男性の場合には西暦の生年の４桁を全て加えた数字から１１を引き、女性の場合には西暦の生年の４桁を全て加えた数字に４を加え、それぞれ１０を越えた場合には９を引いて、当該ユーザの本命掛を示す番号を算出する。
【００４８】
次に、ステップ１００５において、サーバ１３の制御部２１は、端末表示画面ファイル記憶部２２に格納された室内配置入力画面を取り出し、該画面を、送受信部２０を介してユーザ端末１２−１に送信する。図１５は、ユーザ端末１２−１の表示装置１２３に表示される室内配置入力画面の一例である。
【００４９】
図１５の画面は、室内配置入力欄１５０１と、家具アイコン１５０２と、方位磁石１５０３と、鑑定ボタン１５０４とを含む。ユーザは、まず、入力装置１２２を用いて方位磁石１５０３を操作し、磁石の針が差す方角が実際の部屋の方角に合うよう設定する。次いで、室内配置入力欄１５０１において、実際の部屋の中で家具が置いてある位置と対応する位置にマウスによるドラッグ・アンド・ドロップを用いて家具アイコン１５０２を配置した上で、鑑定ボタン１５０４をクリックする。すると、ステップ１００６において、ユーザ端末１２−１からサーバ１３に、方位磁石１５０３の向きから割り出された部屋の方位情報と、家具アイコン１５０２の位置から算出された各家具の位置情報とが送信される。
【００５０】
サーバ１３の送受信部２０が該情報を受信すると、制御部２１は、風水情報作成部２８を制御して、室内に配置された各家具の方位の吉凶を決定させる。具体的に、風水情報作成部２８は、まず、ステップ１００７において、受取った部屋の方位情報を用いて、部屋の中心を原点とし、正のＸ軸が部屋の真北方向に伸びる二次元座標を作成する。その上で、ステップ１００６で送信された各家具の位置情報を用いて各家具を該座標上に位置付け、正のＸ軸との角度に基づいて、各家具の方位を決定する。ここで、家具の方位は、北、北西、西、南西、南、南東、東、北東のいずれかに決定され、それぞれの方位と対応する１〜８の番号で表される。例えば、北は１、北西は２という番号で表される。
【００５１】
各家具の方位が決定されると、ステップ１００８において、例えばベッド及び入り口のような重要な要素について、ステップ１００４で求められた本命掛とステップ１００７で求められた方位とに基づく鑑定結果が決定される。例えば、本命掛を示す番号が「５」であり、ベッドの方位を示す番号が「４」である場合、ベッドの室内配置の鑑定結果の番号は「０５０４」となり、同様に、入り口の方位を示す番号が「６」である場合、入り口の室内配置の鑑定結果を示す番号は「０５０６」となる。次いで、風水情報作成部２８は、風水情報ＤＢ３４の室内配置テーブル４００から、結果ＩＤ４０１が「０５０４」及び「０５０６」である行の方位４０３及び鑑定文４０５をそれぞれ読み出す。
【００５２】
更に、風水情報作成部２８は、ステップ１００９において、室内の各方位の吉凶を決定する。風水情報作成部２８は、ステップ１００４で決定された本命掛を用いて、風水情報ＤＢ３４に格納された宅盤テーブル４１０から、室内の各方位の吉凶を決定する。例えば、ユーザの本命掛を示す番号が「１」である場合、宅盤テーブル４１０にて、本命掛４１１が「１」である行のデータを参照することにより、例えば「北」を示す方位１が「小吉」であり、北東を示す方位２が「中凶」であることがわかる。
【００５３】
ステップ１００７で決定された各家具の方位と、１００８で読み出された重要な要素の方位に対する鑑定文４０５と、ステップ１００９で決定された各方位の吉凶は、ステップ１０１０において、端末表示画面ファイル記憶部２２から取り出された鑑定結果画面に埋め込まれ、ユーザ端末１２−１に送信される。図１６は、ユーザ端末１２−１の表示装置１２３に表示される室内配置鑑定結果画面の一例である。
【００５４】
図１６には、家具方位吉凶情報１６０１と、方位磁石１６０２と、重要家具の方位１６０６と、重要家具の鑑定文１６０７とが含まれる。方位磁石１６０２は、ステップ１００６で送信された方位情報をもとに、図１５の室内配置入力画面でユーザが設定したのと同様に設定される。家具方位吉凶情報１６０１は、室内における方位の吉凶と各家具の配置とを示すものであり、北、北西、西、南西、南、南東、東、北東の８つのエリアに分割されている。各エリアは、異なる色又は模様等により識別され、それぞれの色又は模様と吉凶との対応が凡例１６０５に示される。例えば、図１６において、網掛けで示される南のエリア１６０３は、凡例１６０５を参照することにより「小吉」であることがわかり、左下がりの斜線で示される南西のエリア１６０４は「最大吉」であることがわかる。また、重要家具の方位１６０６及び鑑定文１６０７は、例えばベッド及び入り口のような重要な要素の方位と、それに対する鑑定文を示す。
【００５５】
（２）立地条件鑑定
図１１は、風水情報提供システム１０における立地条件鑑定処理の詳細を示すブロック図である。この処理は、ユーザが図１４のメニュー画面において立地条件鑑定１４０２を選択し、ステップ１１０１において、ユーザ端末１２−１からサーバ１３に立地条件鑑定要求が送信されることにより開始する。該要求がサーバ１３の送受信部２０に受信されると、制御部２１は、ステップ１１０２において、端末表示画面ファイル記憶部２２に格納された立地条件入力画面を取り出し、該画面を送受信部２０を介してユーザ端末１２−１に送信する。
【００５６】
図１７は、ユーザ端末１２−１の表示装置１２３に表示される立地条件入力画面の一例である。図１７の例において、立地条件入力画面には、複数の立地条件パターン１７０１と、それぞれに対する説明文１７０２とが表示される。ユーザが説明文１７０２を参照しながら、立地条件パターン１７０１のうち鑑定対象の物件の立地条件と一致するものをクリックすると、ステップ１１０３において、ユーザ端末１２−１からサーバ１３に立地条件情報が送信される。サーバ１３の送受信部２０が該情報を受信すると、制御部２１は、ステップ１１０４において、風水情報作成部２８を制御して、風水情報ＤＢ３４の立地条件テーブル５００から、受信した立地条件５０１に対応する鑑定文５０２を取り出す。取り出された鑑定文は、ステップ１１０５において、端末表示画面ファイル記憶部２２から取り出された鑑定結果画面に埋め込まれてユーザ端末１２−１に送信され、表示装置１２３に表示される。
【００５７】
（３）出張風水鑑定
風水情報提供システム１０における出張風水鑑定処理は、ユーザが図１４に例示されるメニュー画面において出張風水鑑定１４０３を選択し、ユーザ端末１２−１からサーバ１３に出張風水鑑定要求が送信されることにより開始する。該要求がサーバ１３の送受信部２０に受信されると、制御部２１は、端末表示画面ファイル記憶部２２に格納された出張風水鑑定申込み画面を取り出し、該画面を送受信部２０を介してユーザ端末１２−１に送信する。ユーザがユーザ端末１２−１において、出張風水鑑定申込み画面に所定の事項を入力して送信処理を行うと、申込み情報がサーバ１３に送信され、ユーザの現住居又は購入予定物件への出張風水鑑定の申込みがなされる。
【００５８】
（４）メール風水鑑定
風水情報提供システム１０におけるメール風水鑑定処理は、上記の出張風水鑑定処理とほぼ同様である。この処理は、ユーザが図１４に例示されるメニュー画面においてメール風水鑑定１４０４を選択し、ユーザ端末１２−１からサーバ１３にメール風水鑑定要求が送信されることにより開始する。該要求がサーバ１３の送受信部２０に受信されると、制御部２１は、端末表示画面ファイル記憶部２２に格納されたメール風水鑑定申込み画面を取り出し、該画面を送受信部２０を介してユーザ端末１２−１に送信する。ユーザがユーザ端末１２−１において、メール風水鑑定申込み画面に所定の事項を入力し、送信処理を行うと、申込みに関する情報がサーバ１３に送信され、その後、電子メールのやりとりを経て、風水鑑定が実行される。
【００５９】
（５）引越し診断
図１２は、風水情報提供システム１０における引越し診断処理の詳細を示すブロック図である。この処理は、ユーザが上記の図１４に例示されるメニュー画面において引越し診断１４０５を選択し、ステップ１２０１において、ユーザ端末１２−１からサーバ１３に引越し診断要求が送信されることにより開始する。該要求がサーバ１３の送受信部２０に受信されると、制御部２１は、ステップ１２０２において、端末表示画面ファイル記憶部２２に格納された引越し条件入力画面を取り出し、該画面を送受信部２０を介してユーザ端末１２−１に送信して、表示装置１２３に表示させる。
【００６０】
ユーザが、引越し条件入力画面において所望の引越し条件を入力し、送信処理を行うと、ステップ１２０３において、ユーザ端末１２−１からサーバ１３に引越し条件情報が送信される。ここで、引越し条件情報には、希望の引越し時期又は引越し場所の有無と、ユーザの現住所と、引越し先の物件に対して希望する価格、専有面積、間取り等の希望物件情報とが含まれる。ユーザは、希望の引越し時期又は引越し場所のいずれかが決定している場合には、具体的な日時又は住所を記入するが、いずれも未定の場合には指定しなくてもよい。本実施の形態において、希望の引越し時期は月単位で指定し、希望の引越し場所は、都道府県レベルや市町村レベルで指定する。
【００６１】
ステップ１２０３で希望の引越し時期が送信された場合、サーバ１３の送受信部２０が該情報を受信すると、制御部２１は、ステップ１２０４において、風水情報作成部２８を制御し、風水情報ＤＢ３４に格納された月盤テーブル６００を用いて、希望の引越し時期に対する方位の吉凶情報を検索させる。具体的に、風水情報作成部２８は、まず、月盤テーブル６００から、指定された月における全方位の点数６０３−１〜６０３−８、全方位の吉凶６０４−１〜６０４−８、及び解説文６０５を取り出す。その上で、風水情報作成部２８は、指定された月における吉方位及び凶方位を決定する。例えば、引越し希望時期が２００５年７月である場合、北東が吉方位であり、東及び南が凶方位であることが決定される。ここで、指定された月に複数の吉方位又は凶方位が存在する場合には、複数の吉方位又は凶方位が決定され、逆に、指定された月に吉方位が存在しない場合には、風水のロジックに従ってお勧めの方位に決定される。例えば、本実施の形態では、点数の最も多い方位をお勧めの方位とする。以上のステップにより、風水情報作成部２８は、指定された月の全方位の吉凶情報と、解説文と、当該月の吉方位及び凶方位のデータを作成する。
【００６２】
制御部２１は、次に、ステップ１２０５において、ユーザ情報登録検索部２４及び地図情報作成部２７を制御して、ステップ１２０４で決定された吉方向及び凶方位を示す地図を作成させる。具体的に、制御部２１は、まず、ユーザ情報登録検索部２４を制御して、ユーザ情報ＤＢ３０から、診断を求めるユーザの現住所３０４を取り出し、該情報を、ステップ１２０４で決定された吉方位及び凶方位の情報とともに地図情報作成部２７に渡す。地図情報作成部２７は、地図情報ＤＢ３３からユーザの現住所を中心とする地図の画像データを取り出した上で、該地図上に、ユーザの吉方位及び凶方位を表示させた地図データを作成する。その後、ステップ１２０６において、制御部２１は、ステップ１２０５で作成された地図データと、ステップ１２０４で取り出された全方位の吉凶情報及び解説文とを、端末表示画面ファイル記憶部２２から取り出された時期指定引越し診断結果画面ファイルに埋め込んで、ユーザ端末１２−１に送信する。
【００６３】
図１８は、表示装置１２３に表示される時期指定引越し診断結果画面の一例である。図１８の画面は、希望の引越し時期１８０１と、当該月の月盤１８０２と、解説文１８０３と、地図１８０４と、当該月の吉方位１８０５及び凶方位１８０６と、物件紹介ボタン１８０７とを含む。希望の引越し時期１８０１、月盤１８０２及び解説文１８０３は、次の物件紹介画面を開いた際にも参照可能とするため、図１８に示す通り、別画面で開くことが望ましい。ユーザ端末１２−１において、記憶装置１２１に格納された汎用ブラウザ等の表示プログラムのプロセスを同時に２つ起動し、それぞれに異なる情報を表示させることにより、別画面での表示が可能である。
【００６４】
月盤１８０２は、ステップ１２０４で検索された希望月の全方位の吉凶情報を図示するものである。月盤１８０２は真南を上として八方位を示す８つのエリアに分かれており、各エリアの色や模様を変えることにより、当該エリアに対応する方位の吉凶を表示する。解説文１８０３は、やはりステップ１２０４において月盤テーブル６００から検索された解説文６０５である。また、地図１８０４は、ステップ１２０５で地図情報作成部２７が作成した地図データであり、ユーザが希望する引越し月における吉方位１８０５及び凶方位１８０６が表示されている。ユーザが吉方向１８０５及び凶方向１８０６の表示を確認した後で、物件紹介ボタン１８０７をクリックすると、ステップ１２０７において、ユーザ端末１２−１からサーバ１３に物件紹介要求が送信される。該要求を受信すると、制御部２１は、ステップ１２０８において、不動産物件情報作成部２５を制御して、不動産物件情報ＤＢ３１からユーザに最適な物件の候補を検索させる。具体的に、不動産物件情報作成部２５は、まず、制御部２１からユーザの現住所及び吉方位の情報を受取り、それらの情報をもとに現住所から見て吉方位となるエリアの緯度経度を算出して、不動産物件情報ＤＢ３１から該エリア内の物件を検索する。次いで、不動産物件情報作成部２５は、吉方位にある物件のなかから更に、ステップ１２０３で送信された価格、専有面積、間取り等の希望条件を満たす物件を検索する。検索された物件は、ステップ１２０９において、送受信部２０を介してユーザ端末１２−１に送信される。
【００６５】
図１９は、ユーザ端末１２−１の表示装置１２３に表示される物件紹介画面の例である。物件紹介画面には、図１９に示すように、物件名１９０１、現住所からの方位１９０２が表示される。図１８の時期指定引越し診断結果画面で表示されていた希望の引越し時期１８０１、月盤１８０２及び解説文１８０３は、図１９に示すように引き続き表示されることが望ましい。物件紹介画面には、また、各物件について住所をもとに計算された現住所からの距離１９０３を表示してもよく、各物件の住所やその他の情報を表示してもよい。更に、物件紹介画面の例えば物件名の箇所に別のウェブページへのハイパーリンクを設け、物件名をクリックすると、該物件の更なる詳細情報を提供するページが表示されるようにしてもよい。これは、ユーザが図１９の画面で物件名１９０１をクリックした際に、ユーザ端末１２−１からサーバ１３に地図データの要求が送信され、サーバ１３において地図情報作成部２７が、地図情報ＤＢ３３を用いて指定された物件を含む地図データを作成し、ユーザ端末１２−１に送信することにより実現可能である。
【００６６】
ステップ１２０３において希望の引越し場所が送信された場合、サーバ１３の送受信部２０が該情報を受信すると、制御部２１は、ステップ１２１１において、風水情報作成部２８を制御し、風水情報ＤＢ３４に格納された月盤テーブル６００を用いて、希望の引越し場所への引越しが吉となる１つ以上の月を決定させる。具体的に、風水情報作成部２８は、ユーザの現住所と引越し希望場所の住所から算出された角度に基づいて現住所に対する引越し希望場所の方位を求めた上で、図６に示される風水情報ＤＢ３４の月盤テーブル６００を用いて、当該方位が吉方位となる月を決定する。例えば、引越し希望場所が北東にある場合、吉となる月は２００５年６月、７月及び１２月であることがわかる。
【００６７】
風水情報作成部２８が制御部２１に吉となる月の情報を返すと、制御部２１は、ステップ１２１２において、ユーザ情報登録検索部２４及び地図情報作成部２７を制御して、希望の引越し場所を示す地図を作成させる。具体的に、制御部２１は、まず、ユーザ情報登録検索部２４を制御して、ユーザ情報ＤＢ３０から診断を求めるユーザの現住所３０４を取り出し、該情報を、ステップ１２０３で送信された希望の引越し場所の情報とともに地図情報作成部２７に渡す。地図情報作成部２７は、地図情報ＤＢ３３からユーザの現住所を中心とする地図の画像データを取り出し、該地図上に、ステップ１２０３で送信された希望の引越し場所を表示した上で、希望の引越し場所のある方位に吉方位の表示をした画像データを作成する。その後、ステップ１２１３において、制御部２１は、地図情報作成部２７が作成した地図データを、端末表示画面ファイル記憶部２２から取り出された場所指定引越し診断結果画面ファイルに埋め込んで、ユーザ端末１２−１に送信する。
【００６８】
図２０は、表示装置１２３に表示される場所指定引越し診断結果画面の一例である。場所指定引越し診断結果画面としては、まず、地図２００１と、吉方位２００２と、１つ以上の最適な時期２００３と、物件紹介ボタン２００４とを含むメイン画面２０１１が表示されるが、メイン画面２０１１においてユーザが最適な時期２００３のうちの１つを選択すると、選択された最適な時期２００５と、当該月の月盤２００６と、解説文２００７とを含むサブ画面２０１２が表示されるようにしてもよい。この場合、ユーザが最適な時期２００３のうちの１つを選択した際に、ユーザ端末１２−１からサーバ１３に対し、指定した時期に対する吉凶情報の要求が送信され、サーバ１３にて風水情報作成部２８が月盤テーブル６００から当該月の全方位の吉凶情報６０４−１〜６０４−８及び解説文６０５を取り出した上で、送受信部２０を介してユーザ端末１２−１に送信するよう構成される。
【００６９】
ユーザが最適な時期２００３を選択してから物件紹介ボタン２００４をクリックすると、ステップ１２１４において、ユーザ端末１２−１からサーバ１３に物件紹介要求が送信される。該要求を受信すると、制御部２１は、ステップ１２１５において、不動産物件情報作成部２５を制御して、不動産物件情報ＤＢ３１からユーザに最適な物件の候補を検索させる。具体的に、不動産物件情報作成部２５は、ユーザの希望する引越し場所と、ユーザが選択した最適な引越し月との情報を受取り、図３に示された不動産物件情報テーブル３１０において、住所３１３がユーザの希望する引越し場所にあり、入居可能時期３１４が選択された最適な月より前であって、更に、価格３１５、専有面積３１６及び間取り３１７がステップ１２０３で送信された希望条件に合致する物件を検索する。検索された不動産物件情報は、ステップ１２１６において、送受信部２０を介してユーザ端末１２−１に送信される。ここでユーザ端末１２−１の表示装置１２３に表示される物件紹介画面は、図１９とほぼ同様である。
【００７０】
ステップ１２０３において、希望の引越し時期及び引越し場所がいずれも入力されなかった場合、サーバ１３の送受信部２０がユーザ端末１２−１からの引越し条件情報を受信すると、制御部２１は、ステップ１２２１において、風水情報作成部２８を制御し、風水情報ＤＢ３４に格納された月盤テーブル６００において、現在からなるべく近い月であって吉方位のある月を所定の数だけ抽出させる。所定の数は、例えば３つなどと予め設定しておく。又は、結果として出力する月の数を限定する代わりに、又はそれに加えて、検索の対象となる期間を限定することも可能である。例えば、所定数を３に設定した場合、引越し診断要求が出されたのが２００５年６月であれば、検索結果は、北東の吉方位を持つ２００５年７月と、西に吉方位を持つ２００５年８月と、西に吉方位を持つ２００５年９月になる。風水情報作成部２８は、このように吉方位のある１つ以上の月を決定すると、月盤テーブル６００から、検索された月のうちで最も近い月における全方位の吉凶情報６０４−１〜６０４−８と、解説文６０５とを取り出す。
【００７１】
次に、制御部２１は、ステップ１２２２において、ユーザ情報登録検索部２４及び地図情報作成部２７を制御して、ステップ１２２１で検索された最も近い月の吉方向を示す地図を作成させる。具体的に、制御部２１は、まず、ユーザ情報登録検索部２４を制御して、ユーザ情報ＤＢ３０から、診断を求めるユーザの現住所３０４を取り出し、該情報を、ステップ１２２１で決定された吉方位の情報とともに地図情報作成部２７に渡す。地図情報作成部２７は、地図情報ＤＢ３３からユーザの現住所を中心とする地図の画像データを取り出した上で、該地図上にステップ１２２１で決定された吉方位を表示させた地図データを作成する。その後、ステップ１２２３において、制御部２１は、地図情報作成部２７が作成した地図データと、ステップ１２２１で取り出された最も近い月の全方位の吉凶情報及び解説文とを、端末表示画面ファイル記憶部２２から取り出された引越し診断結果画面ファイルに埋め込んで、ユーザ端末１２−１に送信する。
【００７２】
図２１は、表示装置１２３に表示される引越し診断結果画面の一例である。図２１の引越し診断結果画面には、最適な時期２１０１、月盤２１０２及び解説文２１０３を含むサブ画面２１１２と、地図２１０４、吉方位２１０５、最適な引越し時期及び方位の組合せ２１０６及び物件紹介ボタン２１０７を含むメイン画面２１１１とが表示される。２つ以上の吉方位を有する月もあるため、最適な引越し時期及び方位の組合せ２１０６において、１つの月に対し２つ以上の方位が表示される場合もある。最適な時期２１０１、月盤２１０２及び解説文２１０３は、次の物件紹介画面を開いた際にも参照可能とするために、図２１にあるように別画面で開くようにすることが望ましい。
【００７３】
ユーザ端末１２−１に最初に表示される際、最適な時期２１０１には、ステップ１２２１で検索された吉方位を有する月のうちで現在から最も近い月が表示され、月盤２１０２には当該月の全方位の吉凶情報が、解説文２１０３には当該月に対する解説文がそれぞれ表示される。また、地図２１０４は、ステップ１２２２で地図情報作成部２７が作成した地図データであり、ユーザ端末１２−１に最初に表示される時点では、ステップ１２２１で検索された月のうちで最も近い月における吉方位２１０５が表示される。
【００７４】
この画面において、ユーザが最適な引越し時期及び方位の組合せ２１０６の１つを選択すると、サブ画面２１１２に表示された最適な時期２１０１、月盤２１０２及び解説文２１０３と、吉方位２１０５との表示が、選択された月に対応するものに変更される。これは、ユーザが最適な引越し時期及び方位の組合せ２１０６のうちの１つを選択した際に、ユーザ端末１２−１からサーバ１３に対し選択された時期に対する吉凶情報の要求が送信され、サーバ１３において風水情報作成部２８が月盤テーブル６００から当該月の全方位の吉凶情報６０４−１〜６０４−８と解説文６０５とを取り出した上で、送受信部２０を介してユーザ端末１２−１に送信するよう風水情報提供システム１０を構成することにより実現される。
【００７５】
ユーザが最適な引越し時期及び方位の組合せ２１０６を選択後、物件紹介ボタン２１０７をクリックすると、ステップ１２２４において、ユーザ端末１２−１からサーバ１３に物件紹介要求が送信される。該要求を受信すると、制御部２１は、ステップ１２２５において、不動産物件情報作成部２５を制御して、不動産物件情報ＤＢ３１からユーザに最適な物件の候補を検索させる。具体的に、不動産物件情報作成部２５は、ユーザの現住所と、選択された最適な引越し時期及び方位の組合せとの情報を受取り、現住所に対して吉方位となるエリアの経度緯度を算出して、不動産物件情報ＤＢ３１から該エリア内の物件を検索する。更に、不動産物件情報作成部２５は、該範囲内の物件の中から、入居可能時期３１４が選択された時期より前であって、ステップ１２０３で入力された希望条件を満たす物件を検索する。検索された不動産物件情報は、ステップ１２２６において、送受信部２０を介してユーザ端末１２−１に送信される。ここでユーザ端末１２−１の表示装置１２３に表示される物件紹介画面は、図１９とほぼ同様である。
【００７６】
（６）外出診断
図１３は、風水情報提供システム１０における外出診断処理の詳細を示すブロック図である。この処理は、ユーザが図１４のメニュー画面において外出診断１４０６を選択し、ステップ１３０１において、ユーザ端末１２−１からサーバ１３に外出診断要求が送信されることにより開始する。該要求がサーバ１３の送受信部２０に受信されると、制御部２１は、ステップ１３０２において、風水情報作成部２８を制御して図９の開運願望テーブル９００から全てのカテゴリ及び開運願望の情報を取り出し、それらの情報を端末表示画面ファイル記憶部２２から取り出された目的入力画面に埋め込んで、送受信部２０を介してユーザ端末１２−１に送信し、表示装置１２３に表示させる。
【００７７】
この目的入力画面において、ユーザは、「恋愛」「仕事」「結婚」等のカテゴリごとに並べられた開運願望の一覧の中から、特に開運を願う項目を１つ選択する。例えば、「仕事」のカテゴリであれば、「就職運を上げたい」「今抱えている仕事を成功させたい」といった開運願望が選択肢として提示される。ユーザが目的入力画面において所望の目的を選択し、送信ボタンをクリックすると、ステップ１３０３において、ユーザ端末１２−１からサーバ１３に目的情報が送信される。この目的情報をサーバ１３の送受信部２０が受信すると、制御部２１は、次に、ステップ１３０４において、端末表示画面ファイル記憶部２２に格納された外出情報入力画面を取り出し、該画面を、送受信部２０を介してユーザ端末１２−１に送信して、表示装置１２３に表示させる。
【００７８】
ユーザが、外出情報入力画面において所定の外出情報を入力し、送信ボタンをクリックすると、ステップ１３０５において、ユーザ端末１２−１からサーバ１３に外出情報が送信される。ここで、外出情報は、例えばデート、レジャー、ビジネス・勉強といった外出目的と、外出目的に応じた外出先種別とのほかに、宿泊の有無、帰宅日といった詳細情報を含む。詳細情報は、指定された外出目的及び外出先種別に応じて入力を要求することが可能である。例えば、外出目的として「デート」が選択された場合に、当該外出目的に応じた外出先種別である「遊園地」「ドライブ」「映画」又は「食事」のいずれかを選択させ、更に、外出先種別が「遊園地」又は「ドライブ」の場合にのみ、宿泊の有無、帰宅日の入力を要求することが可能である。外出情報は、希望の外出日時又は外出場所のいずれかを含んでもよいが、いずれも含まなくてもよい。希望の外出場所は、方位を割り出せるよう、都道府県等のおおよその住所を入力することにより指定される。
【００７９】
ステップ１３０５において希望の外出日時が送信された場合、サーバ１３の送受信部２０が外出情報を受信すると、制御部２１は、ステップ１３１１において、風水情報作成部２８を制御し、日盤又は時盤のいずれを利用すべきかを決定させる。利用すべき盤は、例えば外出先種別が「遊園地」又は「ドライブ」である場合には日盤、「映画」又は「食事」である場合には時盤が選択される等、ステップ１３０５で送信された外出情報に応じて決定されるよう予めプログラムで設定しておく。次に、ステップ１３１２において、風水情報作成部２８は、ステップ１３１１で決定された日盤テーブル７００又は時盤テーブル８００のいずれかから、希望の外出日時における全方位の点数、吉凶、八門、八神及び解説文を取り出す。即ち、日盤テーブル７００を用いる場合には、指定された外出日における各方位の点数７０４−１〜７０４−８、吉凶７０５−１〜７０５−８、八門７０６−１〜７０６−８、八神７０７−１〜７０７−８及び解説文７０８を取り出し、時盤テーブル８００を用いる場合には、指定された外出日時における各方位の点数８０５−１〜８０５−８、吉凶８０６−１〜８０６−８、八門８０７−１〜８０７−８、八神８０８−１〜８０８−８及び解説文８０９を取り出す。
【００８０】
次に、風水情報作成部２８は、ステップ１３１３において、指定日時における吉方位を決定する。吉方位の決定には、ステップ１３０５で送信された外出日時の他に、ステップ１３０３で送信された目的情報が加味される。ここでは、ステップ１３０３において「恋愛」カテゴリの「元恋人と復活したい」との開運願望が送信され、ステップ１３０５において、「外出目的：デート、外出先種別：遊園地、希望の外出日時：２００５年４月５日午前１１時」との外出情報が送信されている場合を例にとって説明する。風水情報作成部２８は、まず、図７に示される日盤テーブル７００を用いて、指定された日における吉方向が北西であることを決定する。指定された日時に吉方位がない場合、風水ロジックに従ってお勧めの方位が決定される。例えば、本実施の形態において、風水情報作成部２８は、八門に「死門」が入っている方位又は八神に「匂陳」が入っている方位を除いて、最も点数が高い方位をお勧め方位に決定するようプログラムされる。
【００８１】
次に、風水情報作成部２８は、ステップ１３０３で送信された目的情報をもとにユーザの開運願望を特定し、図９の開運願望テーブル９００を参照して、当該開運願望に対応する吉方位を決定する。この例では、ユーザが「恋愛」カテゴリの「元恋人と復活したい」との開運願望を持っているため、風水情報作成部２８は、吉方位のなかでも八神に「六合」が入っている方位がユーザの開運願望に適していることを決定する。そこで、風水情報作成部２８は、ステップ１３１２において日盤テーブル７００から取り出した全方位の吉凶情報を調べ、吉方位の中で、八神に「六合」が入っている北西をユーザに最適な吉方位と決定する。
【００８２】
風水情報作成部２８が指定された外出日時の吉方位を決定すると、制御部２１は、ステップ１３１４において、ユーザ情報登録検索部２４及び地図情報作成部２７を制御して、ステップ１３１２及び１３１３で決定された方位の吉凶を示す地図を作成させる。具体的に、制御部２１は、まず、ユーザ情報登録検索部２４を制御して、ユーザ情報ＤＢ３０から、診断を求めるユーザの現住所３０４を取り出し、該情報を、ステップ１２１２で検索された凶方位及びステップ１２１３で決定された吉方位の情報とともに地図情報作成部２７に渡す。地図情報作成部２７は、地図情報ＤＢ３３からユーザの現住所を中心とする地図の画像データを取り出し、該地図上に、希望の外出日時の吉方位及び凶方位を表示させた地図データを作成する。その後、ステップ１３１５において、制御部２１は、ステップ１３１４で作成された地図データと、ステップ１３１２で取り出された解説文と、ステップ１３１２及び１３１３で決定された吉凶情報とを、端末表示画面ファイル記憶部２２から取り出された日時指定外出診断結果画面ファイルに埋め込んで、ユーザ端末１２−１に送信する。
【００８３】
図２２は、表示装置１２３に表示される日時指定外出診断結果画面の一例である。図２２の画面は、開運カテゴリ２２０１と、希望の外出日時２２０２と、日盤２２０３と、解説文２２０４と、地図２２０５と、指定日時の吉方位２２０６及び凶方位２２０７と、詳細診断ボタン２２０８とを含む。開運カテゴリ２２０１、希望の外出日時２２０２、日盤２２０３及び解説文２２０４は、次の詳細診断画面を開いた際にも参照可能とするために、図２２にあるように別画面で開くようにすることが望ましい。
【００８４】
図２２において、開運カテゴリ２２０１は、ステップ１３０３で目的情報として送信される、ユーザの開運願望の属するカテゴリである。日盤２２０３は、ステップ１３１２で検索された希望の外出日の全方位の吉凶情報を図示する。ステップ１３１１において時盤を利用すべきことが決定された場合には、日盤２２０３の代わりに希望の外出日時に対応する時盤が表示される。日盤２２０３は真南を上として八方位を示す８つのエリアに分かれており、各エリアの色や模様を変えることにより、当該エリアが対応する方位の吉凶を表示する。解説文２２０４は、やはりステップ１３１２において日盤テーブル７００から検索された解説文７０８である。また、地図２２０５は、ステップ１３１４で地図情報作成部２７が作成した地図データであり、ユーザが希望する外出日における吉方位２２０６及び凶方位２２０７が表示されている。ユーザが吉方向２２０６及び凶方向２２０７の表示を確認した後で、詳細診断ボタン２２０８をクリックすると、ステップ１３１６において、ユーザ端末１２−１からサーバ１３に詳細診断要求が送信される。
【００８５】
該要求を受信すると、制御部２１は、ステップ１３１７において、外出先情報作成部２６を制御して、外出先情報ＤＢ３２からユーザに最適な外出先の候補を検索させる。具体的に、外出先情報作成部２６は、まず、ユーザの現住所及び吉方位の情報を受取り、それらの情報をもとに吉方位となるエリアの緯度経度を算出して、外出先情報ＤＢ３２から該エリア内の外出先を検索する。次いで、外出先情報作成部２６は、吉方位にある外出先のなかから、更に、ステップ１３０３で入力された外出目的と用途３２４が合致する外出先を検索する。検索された外出先は、ステップ１３１８において、送受信部２０を介してユーザ端末１２−１に送信される。
【００８６】
図２３は、ユーザ端末１２−１の表示装置１２３に表示される詳細診断画面の例である。図２３の画面には、希望の外出日時２３０１及び外出先名２３０２が表示される。図２２の日時指定外出診断結果画面で表示されていた開運カテゴリ２２０１、希望の外出日時２２０２、日盤２２０３及び解説文２２０４は、図２３に示すように、引き続き表示されることが望ましい。詳細診断画面には、また、各外出先について住所をもとに計算された自宅からの距離２３０３を表示してもよく、外出先の住所やその他の情報を表示してもよい。
【００８７】
更に、詳細診断画面の例えば外出先名２３０２の箇所に別のウェブページへのハイパーリンクを設け、物件名をクリックすると、該物件の地図データを提供するページが表示されるようにしてもよい。これは、ユーザが図２３の画面で外出先名２３０２をクリックした際に、ユーザ端末１２−１からサーバ１３に地図データの要求が送信され、サーバ１３において地図情報作成部２７が、地図情報ＤＢ３３を用いて指定された外出先を含む地図データを作成し、ユーザ端末１２−１に送信することにより実現可能である。
【００８８】
ステップ１３０５において、希望の外出場所が送信された場合、サーバ１３の送受信部２０がユーザ端末１２−１から外出情報を受信すると、制御部２１は、ステップ１３２１において、風水情報作成部２８を制御し、目的情報に応じた吉方位を決定させる。具体的に、風水情報作成部２８は、ステップ１３０３で送信された目的情報からユーザが有する開運願望を特定し、開運願望テーブル９００を参照して、当該開運願望に最適な吉方位を決定する。
【００８９】
次いで、制御部２１は、ステップ１３２２において、ユーザ情報登録検索部２４及び風水情報作成部２８を制御して、ステップ１３０５で送信された希望の外出場所が吉方位となる１つ以上の日時を決定する。具体的に、制御部２１は、まず、ユーザ情報登録検索部２４を制御して、ユーザ情報ＤＢ３０から、診断を求めるユーザの現住所３０４を取り出させ、該情報を、ステップ１３０５で送信された外出情報とともに風水情報作成部２８に受渡す。風水情報作成部２８は、ステップ１３０５で送信された外出目的及び外出先種別から、日盤又は時盤のいずれを利用すべきかを決定し、希望の外出場所の住所から、希望の外出場所がユーザの自宅から見てどの方位にあるかを算出して、決定された日盤又は時盤のいずれかにおいて、希望の外出場所がユーザの開運願望に対応する吉方位となる日時を特定する。
【００９０】
ステップ１３２１及び１３２２を、ステップ１３０３で送信された目的情報が「恋愛」カテゴリの「関係を深めたい」との開運願望を示しており、ステップ１３０５で送信された外出目的が「デート」、外出先種別が「食事」、希望の外出場所が北の方位にある場合を例に説明する。まず、ステップ１３２１において、風水情報作成部２８は、開運願望テーブル９００を用いて、「関係を深めたい」との開運願望に対する吉方位が、吉方位であって八門に「生門」が入っている方位であることを決定する。次に、ステップ１３２２において、風水情報作成部２８は、ステップ１３１１と同様の方法で時盤を利用すべきことを決定する。更に、風水情報作成部２８は、ユーザの現住所と希望の外出場所の住所とを用いて、希望の外出場所がユーザの自宅の北にあることを決定する。その後、風水情報作成部２８は、時盤テーブル８００において、北が吉方位になっており、且つ北の八門に「生門」が入っている日時を検索する。図８の時盤テーブルからは、２００５年４月５日の午前１時〜２時５９分及び４月６日の午前３時〜４時５９分に「北」が吉方位であって、北の八門に「生門」が入っていることがわかる。
【００９１】
上記のように決定された吉となる日時は、ステップ１３２３において、端末画面表示ファイル２２に格納された場所指定外出診断結果画面ファイルに埋め込まれてユーザ端末１２−１に送信される。
【００９２】
図２４は、表示装置１２３に表示される場所指定外出診断結果画面の一例である。表示装置１２３には、当初、吉となる日時の月２４０５、日２４０６及び時２４０７と、詳細診断ボタン２４０８とを含むメイン画面２４１１が表示される。メイン画面２４１１において、ユーザが最適な日時の月２４０５、日２４０６又は時２４０７のうちの１つをクリックすると、先に説明した図２１の場合と同様に、サブ画面２４１２に、開運カテゴリ２４０１と、選択された月、日又は時２４０２と、選択された月、日又は時に対応する月盤、日盤又は時盤２４０３と、解説文２４０４とが表示される。
【００９３】
ユーザが詳細診断ボタン２４０８をクリックすると、ステップ１３２４において、ユーザ端末１２−１からサーバ１３へ詳細診断要求が送信される。該要求を受信すると、制御部２１は、ステップ１３２５において、風水情報作成部２８及び外出先情報作成部２６を制御して、ステップ１３０５で送信された希望の外出場所以外でユーザの開運願望に最適な外出先の候補を決定させる。具体的に、制御部２１は、まず、風水情報作成部２８を制御して、風水情報ＤＢ３４から、ステップ１３２１で決定されたユーザの開運願望に適する吉方位を有する１つ以上の日時を特定し、当該１つ以上の日時のそれぞれにおける全方位の吉凶、八門及び八神と、解説文とを取り出させる。次に、制御部２１は、外出先情報作成部２６を制御して、ステップ１３１７と同様の方法で、ユーザの自宅から見て吉方位にある外出先を検索させる。ユーザの開運願望に適した吉方位を有する日時が２つ以上ある場合、それぞれの日時について、吉方位にある外出先が検索される。こうして決定された吉方位を有する日時、当該日時における吉方位、及び当該吉方位にある外出先の情報は、ステップ１３２６において、ユーザ端末１２−１に送信される。
【００９４】
図２５は、ユーザ端末１２−１の表示装置１２３に表示される詳細診断画面の一例である。表示装置１２３は、メイン画面２５１１とサブ画面２４１２とを含む。サブ画面２４１２には、当初、図２４に示された場所指定外出診断結果画面のサブ画面２４１２が引き続き表示される。メイン画面２５１１は、最適な日時の月２５０５、日２５０６又は時２５０７、吉方位２５０８、外出先名２５０９を含む。メイン画面２５１１には、更に、各外出先について住所をもとに計算された自宅からの距離２５１０を表示してもよく、外出先の住所やその他の情報を表示してもよい。
【００９５】
メイン画面２５１１において、ユーザが最適な日時月２５０５、日２５０６又は時２５０７の１つをクリックすると、先に説明した図２１の場合と同様に、サブ画面２４１２に、選択された月、日又は時２４０２と、選択された月、日又は時に対応する月盤、日盤又は時盤２４０３と、それに対応する解説文２４０４とが表示される。また、外出先名２５０９の箇所に別のウェブページへのハイパーリンクを設け、外出先名２５０９をクリックした際に該外出先の地図データを提供するページが表示されるようにしてもよい。これは、ユーザが外出先名２５０９をクリックした際に、ユーザ端末１２−１からサーバ１３に地図データの要求が送信され、サーバ１３において地図情報作成部２７が、地図情報ＤＢ３３を用いて、指定された外出先を含む地図データを作成し、ユーザ端末１２−１に送信することにより実現可能である。
【００９６】
ステップ１３０５において、希望の外出日時及び外出場所がいずれも入力されず、ユーザ端末１２−１からサーバ１３に送信されなかった場合、サーバ１３の送受信部２０がユーザ端末１２−１から外出情報を受信すると、制御部２１は、ステップ１３３１において、ステップ１３２１と同様の方法で、風水情報作成部２８に、目的情報に応じた吉方位を決定させる。
【００９７】
次に、制御部２１は、ステップ１３３２において、風水情報作成部２８を制御し、上記のステップ１３１１と同様の方法で、外出目的に応じて、日盤又は時盤のいずれを利用すべきかを決定させる。更に、制御部２１は、ステップ１３３３において、風水情報作成部２８を制御し、ステップ１３３２で決定された日盤又は時盤を用いて、ステップ１３３１で決定された吉方位を有する最も近い日時を決定させる。その後、制御部２１は、ステップ１３３４において、ユーザ情報登録検索部２４及び地図情報作成部２７を制御し、ステップ１３１４と同様の方法で、ユーザの自宅を中心とする地図データであって、ステップ１３３１で決定された吉方位を表示する地図データを作成させる。作成された地図データは、ステップ１３３５において、ユーザ端末１２−１に送信され、表示装置１２３に表示される。
【００９８】
図２６は表示装置１２３に表示される外出診断結果画面の一例である。図２６の画面は、開運カテゴリ２６０１、最適な外出日時２６０２、日盤又は時盤２６０３、及び解説文２６０４を含むサブ画面２６１２と、最適な外出日時及び方位２６０５、地図２６０６、吉方位２６０７及び詳細診断ボタン２６０８を含むメイン画面２６１１とを含む。図２６の外出診断結果画面の機能及び表示内容は、希望の外出日時の代わりに最適な外出日時が表示される点を除き、図２２の日時指定外出診断結果画面の例と同様である。
【００９９】
図２６の画面においてユーザが詳細診断ボタン２６０８をクリックすると、ステップ１３３６において、ユーザ端末１２−１からサーバ１３へ詳細診断要求が送信される。該要求を受信すると、制御部２１は、ステップ１３３７において、風水情報作成部２８及び外出先情報作成部２６を制御して、ユーザの開運願望に最適な外出日時及び外出先の組合せの候補を決定させる。具体的に、制御部２１は、まず風水情報作成部２８を制御して、風水情報ＤＢ３４から、ステップ１３３１で決定された吉方位を有する１つ以上の日時を特定し、それぞれの日時における全方位の吉凶、八門及び八神と、解説文とを取り出させる。次に、制御部２１は、外出先情報作成部２６を制御して、外出先情報ＤＢ３２において、吉方位にある外出先を検索させる。ユーザの開運願望に最適な吉方位を有する日時が２つ以上ある場合、それぞれの日時において吉方位にある外出先が検索される。こうして決定された吉方位を有する日時、当該日時における吉方位、及び当該吉方位にある外出先の情報は、ステップ１３３７において、ユーザ端末１２−１に送信される。
【０１００】
ステップ１３３７の後にユーザ端末１２−１の表示装置１２３に表示される詳細画面は、図２５に例示された詳細診断画面とほぼ同様の表示内容及び機能を有する。
（７）風水カレンダー
風水情報提供システム１０の風水カレンダー処理では、毎月、所定の日時に、登録されたユーザのメールアドレスに対し、翌月の風水情報を記載した電子メールが配信される。配信メールには、翌月の吉方位や吉日などの情報を含めることができる。これらの情報は制御部２１が、風水情報作成部２８を制御して、月盤テーブル６００から翌月の吉方位を検索させ、又は、日盤テーブル７００において、最も高い点数を伴う吉方位を有する日を決定させることにより入手可能である。これらの情報は、端末画面表示ファイル記憶部２２に格納された風水カレンダー用の電子メールファイルに埋め込まれて、ユーザのメールアドレスに配信される。また、電子メールによる情報配信以外に、風水カレンダーを表示させるためのウェブページを設け、月盤テーブル６００及び日盤テーブル７００に基づいて作成された月盤、日盤や、それぞれに対応する解説文を表示してもよい。
【０１０１】
以上、本発明に係る風水情報提供システム１０の処理の概要を、実施の形態を用いて説明したが、本発明は上記の実施の形態に限られるものではない。
例えば、上記の実施の形態では、月、日及び時ごとの吉凶等の情報を予めテーブルとして風水情報ＤＢ３４に格納しているが、代わりに、ユーザから引越し又は外出の希望日時が入力される都度、風水情報作成手段２８が、風水に基づくロジックに従って当該日時の吉凶等を判断するようにしてもよい。これは、例えば、風水情報作成手段２８の機能を実現するプログラムに、予め、入力された日時から当該日時の干支暦における干支及び局数を特定させ、それに基づいて当該日時の各方面の点数、吉凶、八門及び八神を算出するロジックを組み込んでおくことにより実現される。この処理を実現するプログラムは、例えば高根黒門著の「活盤奇門遁甲精義」に詳述されているような既存の風水による算出方法を、当業者にとって明らかな方法でコンピュータが実行可能なコマンドに置き換えることにより作成可能である。
【０１０２】
また、上記の実施の形態では、引越し及び外出という２種類の移動について風水に基づく吉凶情報を提供しているが、本発明は、これらの種類の移動に限定されるものではない。本発明に係る風水情報システムでは、移動の種類に関わらず、移動の日時、方位及び／又は目的の入力に応じて、風水に基づく移動の吉凶情報を提供することが可能であり、例えば旅行先や結婚式場の選択等の様々な種類の移動について、上記に説明したのと同様の処理により吉凶情報を提供可能である。
【産業上の利用可能性】
【０１０３】
以上、実施の形態を参照して詳述したように、本発明の風水情報提供システムにより、相談者が入力する行動予定に対応する、風水に基づく方位の吉凶を含む具体的なアドバイスを提示するシステムを提供することができる。また、更に、相談者に対し、風水的な観点から最適な転居先物件の候補を提示するシステムを提供することにより、風水に基づくアドバイスを不動産物件の販売促進に役立てることが可能になる。
【図面の簡単な説明】
【０１０４】
【図１】本発明の実施の形態に係る風水情報提供システムの概要を示すブロック図である。
【図２】本発明の実施の形態に係る風水情報提供システムのサーバの有する機能を示すブロック図である。
【図３】本発明の実施の形態に係るユーザ情報テーブル、不動産物件情報テーブル及び外出先情報テーブルの例を示す図である。
【図４】本発明の実施の形態に係る室内配置テーブル及び宅盤テーブルの例を示す図である。
【図５】本発明の実施の形態に係る立地条件テーブルの例を示す図である。
【図６】本発明の実施の形態に係る月盤テーブルの例を示す図である。
【図７】本発明の実施の形態に係る日盤テーブルの例を示す図である。
【図８】本発明の実施の形態に係る時盤テーブルの例を示す図である。
【図９】本発明の実施の形態に係る開運願望テーブルの例を示す図である。
【図１０】本発明の実施の形態に係る風水情報提供システムにより実現される室内配置鑑定処理を示すフローチャートである。
【図１１】本発明の実施の形態に係る風水情報提供システムにより実現される立地条件鑑定処理を示すフローチャートである。
【図１２】本発明の実施の形態に係る風水情報提供システムにより実現される引越し診断処理を示すフローチャートである。
【図１３】本発明の実施の形態に係る風水情報提供システムにより実現される外出診断処理を示すフローチャートである。
【図１４】本発明の実施の形態に係る風水情報提供システムにおいて表示されるメニュー画面の例である。
【図１５】本発明の実施の形態に係る風水情報提供システムにおいて表示される室内配置入力画面の例である。
【図１６】本発明の実施の形態に係る風水情報提供システムにおいて表示される室内配置鑑定結果画面の例である。
【図１７】本発明の実施の形態に係る風水情報提供システムにおいて表示される立地条件入力画面の例である。
【図１８】本発明の実施の形態に係る風水情報提供システムにおいて表示される時期指定引越し診断結果画面の例である。
【図１９】本発明の実施の形態に係る風水情報提供システムにおいて表示される物件紹介画面の例である。
【図２０】本発明の実施の形態に係る風水情報提供システムにおいて表示される場所指定引越し診断結果画面の例である。
【図２１】本発明の実施の形態に係る風水情報提供システムにおいて表示される引越し診断結果画面の例である。
【図２２】本発明の実施の形態に係る風水情報提供システムにおいて表示される日時指定外出診断結果画面の例である。
【図２３】本発明の実施の形態に係る風水情報提供システムにおいて表示される詳細診断画面の例である。
【図２４】本発明の実施の形態に係る風水情報提供システムにおいて表示される場所指定外出診断結果画面の例である。
【図２５】本発明の実施の形態に係る風水情報提供システムにおいて表示される詳細診断画面の例である。
【図２６】本発明の実施の形態に係る風水情報提供システムにおいて表示される外出診断結果画面の例である。
【符号の説明】
【０１０５】
１０  風水情報提供システム、１１  ネットワーク、１２−１〜１２−Ｎ  ユーザ端末、１３  サーバ、２０  送受信部、２１  制御部、２２  端末表示画面ファイル記憶部、２３  認証部、２４  ユーザ情報登録検索部、２５  不動産物件情報作成部、２６  外出先情報作成部、２７  地図情報作成部、２８  風水情報作成部、３０  ユーザ情報ＤＢ、３１  不動産物件情報ＤＢ、３２  外出先情報ＤＢ、３３  地図情報ＤＢ、３４  風水情報ＤＢ。
【図１】
2006293668.tif 000003
【図２】
2006293668.tif 000004
【図３】
2006293668.tif 000005
【図４】
2006293668.tif 000006
【図５】
2006293668.tif 000007
【図６】
2006293668.tif 000008
【図７】
2006293668.tif 000009
【図８】
2006293668.tif 000010
【図９】
2006293668.tif 000011
【図１０】
2006293668.tif 000012
【図１１】
2006293668.tif 000013
【図１２】
2006293668.tif 000014
【図１３】
2006293668.tif 000015
【図１４】
2006293668.tif 000016
【図１５】
2006293668.tif 000017
【図１６】
2006293668.tif 000018
【図１７】
2006293668.tif 000019
【図１８】
2006293668.tif 000020
【図１９】
2006293668.tif 000021
【図２０】
2006293668.tif 000022
【図２１】
2006293668.tif 000023
【図２２】
2006293668.tif 000024
【図２３】
2006293668.tif 000025
【図２４】
2006293668.tif 000026
【図２５】
2006293668.tif 000027
【図２６】
2006293668.tif 000028